(57)【要約】  無線アクセスネットワーク（１００）においてユーザ機器（ＵＥ）（１１５）が高速移動体（ＨＳＭ）モードで動作しているとき、マクロセルから下位重畳スモールセルへのＵＥのハンドオーバを制限するためのハンドオーバ制御方法および装置。ＵＥ（１１５）はネットワークからＨＳＭパイロット強度しきい値オフセットパラメータを受信し、ＵＥ（１１５）が標準モードで動作しているときは、第１のパイロット強度しきい値を使用してマクロセル（１０５）から下位重畳スモールセル（１１０）へのハンドオーバを開始する（２３５）。ＵＥ（１１５）は、ＵＥ（１１５）がＨＳＭモードで動作しているときは、第２のパイロット強度しきい値を使用してハンドオーバを開始する（２０５、２１５、２３５）。第２のパイロット強度しきい値は、ＨＳＭパイロット強度しきい値オフセットパラメータによって修正された第１のパイロット強度しきい値に等しい。【選択図】図１Ａ
2016525817.tif 000002
【特許請求の範囲】
【請求項１】
階層化無線アクセスネットワーク（１００）におけるハンドオーバ制御装置であり、前記ネットワークが複数のスモールセル（１１０Ａおよび１１０Ｂ）に重畳する複数のマクロセル（１０５）を有し、前記ネットワーク（１００）内で動作しているユーザ機器（ＵＥ）（１１５）がスモールセル（１１０Ａもしくは１１０Ｂ）または上位重畳マクロセル（１０５）のいずれかに接続する、ハンドオーバ制御装置であって、
前記無線アクセスネットワーク内で動作している前記ＵＥへメッセージを送信するように構成された送信器（１３５）と、
高速移動体（ＨＳＭ）関連パラメータを有する前記メッセージを設定するように構成されたプロセッサ制御メッセージ設定部（１４０）であって、前記ＨＳＭ関連パラメータが、
前記メッセージが前記ＨＳＭ関連パラメータを含むことを示すＨＳＭインジケータパラメータと、
前記ＵＥの速さが前記ＵＥにＨＳＭモードで動作させるときに、前記上位重畳マクロセル（１０５）から前記スモールセル（１１０）への前記ＵＥのハンドオーバを制御するためのＨＳＭパイロット強度しきい値オフセットパラメータであって、前記ＨＳＭパイロット強度しきい値オフセットパラメータが標準パイロット強度しきい値オフセットパラメータに加えて利用され、前記ＵＥが前記ＨＳＭモードで動作しているときに前記スモールセルへの前記ＵＥのハンドオーバを制限する、ＨＳＭパイロット強度しきい値オフセットパラメータとを含む、プロセッサ制御メッセージ設定部（１４０）と
を備えるハンドオーバ制御装置。
【請求項２】
前記標準パイロット強度しきい値オフセットパラメータが前記マクロセル（１０５）の出口パラメータであり、前記マクロセルからのハンドオーバをトリガするための、より低いパイロット強度しきい値オフセットパラメータを提供するために、前記マクロセルの前記標準パイロット強度しきい値オフセットパラメータから前記ＨＳＭパイロット強度しきい値オフセットパラメータが減じられる、請求項１に記載の装置。
【請求項３】
前記ＵＥ（１１５）がＨＳＭモードで動作しており、前記ＵＥが前記マクロセル（１０５）に接続している間に前記スモールセル（１１０）を通過するとき、前記マクロセルの信号強度が前記マクロセルのより低いパイロット強度しきい値オフセットパラメータ以上である場合、前記ＵＥは前記マクロセルへの接続を維持する、請求項２に記載の装置。
【請求項４】
前記マクロセル（１０５）の前記信号強度が前記マクロセルのより低いパイロット強度しきい値オフセットパラメータ未満である場合に限り、ＨＳＭモードの前記ＵＥ（１１５）が前記マクロセル（１０５）からのハンドオーバを開始する、請求項３に記載の装置。
【請求項５】
前記標準パイロット強度しきい値オフセットパラメータが前記スモールセル（１１０）の入口パラメータであり、前記スモールセルへのハンドオーバをトリガするための、より高いパイロット強度しきい値オフセットパラメータを提供するために、前記スモールセルの前記標準パイロット強度しきい値オフセットパラメータに前記ＨＳＭパイロット強度しきい値オフセットパラメータが加えられる、請求項１に記載の装置。
【請求項６】
前記ＵＥ（１１５）がＨＳＭモードで動作しており、前記ＵＥが前記マクロセル（１０５）に接続している間に前記スモールセル（１１０）を通過するとき、前記スモールセルの前記信号強度が前記スモールセルのより高いパイロット強度しきい値オフセットパラメータ以下である場合、前記ＵＥは前記マクロセルへの接続を維持する、請求項５に記載の装置。
【請求項７】
前記スモールセル（１１０）の前記信号強度が前記スモールセルのより高いパイロット強度しきい値オフセットパラメータを超える場合に限り、ＨＳＭモードの前記ＵＥ（１１５）が前記スモールセル（１１０）へのハンドオーバを開始する、請求項６に記載の装置。
【請求項８】
前記ＨＳＭパイロット強度しきい値オフセットパラメータが、前記ネットワーク内のすべてのスモールセルおよび前記ネットワーク内で動作しているすべてのＵＥに対して同じである、請求項５に記載の装置。
【請求項９】
前記ＨＳＭパイロット強度しきい値オフセットパラメータが、前記ネットワーク内の相異なるスモールセルまたは前記ネットワーク内で動作している相異なるＵＥによって異なる、請求項５に記載の装置。
【請求項１０】
前記ＨＳＭ関連パラメータが、前記ネットワーク内のどのセルがスモールセルであるかを識別する少なくとも１つのパラメータもまた含む、請求項１に記載の装置。
【請求項１１】
ユーザ機器（ＵＥ）（１１５）であって、
プロセッサ（５）と、
実行可能命令（５５）を保存するためのメモリ（１０）であって、前記プロセッサ（５）が前記命令を実行するときに、前記ＵＥに対し、
前記ＵＥ（１１５）が標準モードで動作しているときに、第１のパイロット強度しきい値を使用して階層化無線アクセスネットワーク（１００）内のマクロセル（１０５）からスモールセル（１１０）へのハンドオーバを開始すること（２３５）と、
前記ＵＥ（１１５）が高速移動体（ＨＳＭ）モードで動作しているときに、第２のパイロット強度しきい値を使用して前記マクロセル（１０５）から前記スモールセル（１１０）へのハンドオーバを開始すること（２３５）であって、前記第２のパイロット強度しきい値は、前記ＵＥが前記ＨＳＭモードで動作しているときに前記マクロセルから前記スモールセルへの前記ＵＥのハンドオーバを制限するＨＳＭパイロット強度しきい値オフセットパラメータによって修正された、前記第１のパイロット強度しきい値に等しい、開始すること（２３５）とを行わせる、メモリ（１０）と
を備えるユーザ機器（ＵＥ）（１１５）。
【請求項１２】
前記第１のパイロット強度しきい値は前記マクロセルのパイロット信号強度に関連し、かつ前記ＵＥが前記マクロセル（１０５）からのハンドオーバをトリガするレベルを定義し、前記ＵＥは  、前記マクロセルからのハンドオーバをトリガするための前記第１のパイロット強度しきい値よりも低い、前記第２のパイロット強度しきい値を得るために、前記第１のパイロット強度しきい値から前記ＨＳＭパイロット強度しきい値オフセットパラメータを減じるように構成されている、請求項１１に記載のＵＥ。
【請求項１３】
前記ＵＥ（１１５）がＨＳＭモードで動作しており、前記ＵＥが前記マクロセル（１０５）に接続している間に前記スモールセル（１１０）を通過するとき、前記ＵＥは、前記マクロセルの前記信号強度が、より低い前記第２のパイロット強度しきい値以上である場合、前記マクロセルへの接続を維持するように構成されている、請求項１２に記載のＵＥ。
【請求項１４】
前記第１のパイロット強度しきい値は前記スモールセル（１１０）の前記パイロット信号強度に関連し、かつ前記ＵＥが前記スモールセル（１０５）へのハンドオーバをトリガするレベルを定義し、前記ＵＥは、前記スモールセルへのハンドオーバをトリガするための前記第１のパイロット強度しきい値よりも高い、前記第２のパイロット強度しきい値を得るために、前記第１のパイロット強度しきい値に前記ＨＳＭパイロット強度しきい値オフセットパラメータを加えるように構成されている、請求項１１に記載のＵＥ。
【請求項１５】
前記ＵＥ（１１５）がＨＳＭモードで動作しており、前記ＵＥが前記マクロセル（１０５）に接続している間に前記スモールセル（１１０）を通過するとき、前記スモールセルの前記信号強度が、より高い前記第２のパイロット強度しきい値以下である場合、前記ＵＥは、前記マクロセルへの接続を維持するように構成されている、請求項１４に記載のＵＥ。
【請求項１６】
前記ＵＥ（１４５）が移動用車両（１５０）に組み込まれている場合、前記ＵＥに対して前記第２のパイロット強度オフセット値のみのプロビジョニングが行われる、請求項１１に記載のＵＥ。
【請求項１７】
ハンドオーバまたはセル再選択の履歴情報を保存すること（３２５、５０５）であって、前記情報がハンドオーバまたはセル再選択の各々と関連付けられたタイムスタンプを含む、保存すること（３２５、５０５）と、
前記タイムスタンプを使用して、２回以上のハンドオーバまたはセル再選択から前記ＵＥのハンドオーバ率を決定すること（３３０、５１０）と、
前記ハンドオーバ率をしきい率と比較すること（３３０、５１５）と、
前記ハンドオーバ率が前記しきい率未満である場合、前記標準モードで動作し、かつ前記第１のパイロット強度オフセット値を使用すること（２０５、５２０）と、
前記ハンドオーバ率が前記しきい率以上である場合、前記ＨＳＭモードで動作し、かつ前記第２のパイロット強度オフセット値を使用すること（３４０、５２５）と
により、前記ＵＥ（１１５）が前記ＨＳＭモードで動作すべきか否かを決定するように構成されている、請求項１１に記載のＵＥ。
【請求項１８】
一定期間にわたり幾つかの位置サンプルを取得すること（４０５）であって、各位置サンプルは前記ＵＥ（１１５）の位置決定情報を含む、取得すること（４０５）と、
前記幾つかの位置サンプルの中の少なくとも２つの位置サンプルの前記位置決定情報を使用して、前記ＵＥ（１１５）の速度を算出すること（４１０）と、
前記速度がしきい速度未満である場合、前記標準モードで動作し、かつ前記第１のパイロット強度オフセット値を使用すること（４１５）と、
前記速度が前記しきい速度以上である場合、前記ＨＳＭモードで動作し、かつ前記第２のパイロット強度オフセット値を使用すること（４２０）と
により、前記ＵＥ（１１５）が前記ＨＳＭモードで動作すべきか否かを決定するように構成されている、請求項１１に記載のＵＥ。
【請求項１９】
前記ＨＳＭパイロット強度しきい値オフセットパラメータが前記ネットワーク内のすべてのスモールセルに対して同じである、請求項１１に記載のＵＥ。
【請求項２０】
前記ＨＳＭパイロット強度しきい値オフセットパラメータが前記ネットワーク内の相異なるスモールセルによって異なる、請求項１１に記載のＵＥ。
【請求項２１】
前記ＵＥ（１１５）が、前記ＵＥ（１１５）を前記ＨＳＭモードにまたは前記ＨＳＭモードから切り替えるユーザ入力コマンドを受信するように構成されている、請求項１１に記載のＵＥ。
【請求項２２】
前記ＵＥ（１１５）が前記ＨＳＭパイロット強度しきい値オフセットパラメータを前記ネットワークから受信するように構成され、前記ＨＳＭパイロット強度しきい値オフセットパラメータの値が前記ＵＥの速さに関連して異なる、請求項１１に記載のＵＥ。
【請求項２３】
ユーザ機器（ＵＥ）（１１５）内で実行される方法であって、
前記ＵＥ（１１５）が標準モードで動作しているときに、第１のパイロット強度しきい値を使用して階層化無線アクセスネットワーク（１００）内のマクロセル（１０５）からスモールセル（１１０）へのハンドオーバを開始すること（２３５）と、
前記ＵＥ（１１５）が高速移動体（ＨＳＭ）モードで動作しているときに、第２のパイロット強度しきい値を使用して前記マクロセル（１０５）から前記スモールセル（１１０）へのハンドオーバを開始すること（２０５、２１５、２３５）であって、前記第２のパイロット強度しきい値は、前記ＵＥが前記ＨＳＭモードで動作しているときに前記マクロセルから前記スモールセルへの前記ＵＥのハンドオーバを制限するＨＳＭパイロット強度しきい値オフセットパラメータによって修正された、前記第１のパイロット強度しきい値に等しい、開始すること（２０５、２１５、２３５）と
を含む方法。
【請求項２４】
前記第１のパイロット強度しきい値は前記マクロセルの前記パイロット信号強度に関連し、かつ前記ＵＥが前記マクロセル（１０５）からのハンドオーバをトリガするレベルを定義し、前記方法は、前記マクロセルからのハンドオーバをトリガするための前記第１のパイロット強度しきい値よりも低い、前記第２のパイロット強度しきい値を得るために、前記第１のパイロット強度しきい値から前記ＨＳＭパイロット強度しきい値オフセットパラメータを減じることを含む、請求項２３に記載の方法。
【請求項２５】
前記ＵＥ（１１５）がＨＳＭモードで動作しており、前記ＵＥが前記マクロセル（１０５）に接続している間に前記スモールセル（１１０）を通過するとき、前記マクロセルの前記信号強度が、より低い前記第２のパイロット強度しきい値以上である場合、前記ＵＥは前記マクロセルへの接続を維持する、請求項２４に記載の方法。
【請求項２６】
前記第１のパイロット強度しきい値は前記スモールセル（１１０）の前記パイロット信号強度に関連し、かつ前記ＵＥが前記スモールセル（１０５）へのハンドオーバをトリガするレベルを定義し、前記方法は、前記スモールセルへのハンドオーバをトリガするための前記第１のパイロット強度しきい値よりも高い、前記第２のパイロット強度しきい値を得るために、前記第１のパイロット強度しきい値に前記ＨＳＭパイロット強度しきい値オフセットパラメータを加えることを含む、請求項２３に記載の方法。
【請求項２７】
前記ＵＥ（１１５）がＨＳＭモードで動作しており、前記ＵＥが前記マクロセル（１０５）に接続している間に前記スモールセル（１１０）を通過するとき、前記スモールセルの前記信号強度が、より高い前記第２のパイロット強度しきい値以下である場合、前記ＵＥは前記マクロセルへの接続を維持する、請求項２６に記載の方法。
【請求項２８】
前記ＵＥ（１４５）が移動用車両（１５０）に組み込まれている場合、前記第２のパイロット強度オフセット値を常に利用することをさらに含む、請求項２３に記載の方法。
【請求項２９】
前記ネットワーク内のすべてのスモールセルに対して同じであるＨＳＭパイロット強度しきい値オフセットパラメータを利用することをさらに含む、請求項２３に記載の方法。
【請求項３０】
前記ネットワーク内の相異なるスモールセルに対して異なるＨＳＭパイロット強度しきい値オフセットパラメータを利用することをさらに含む、請求項２３に記載の方法。
【請求項３１】
前記ＨＳＭパイロット強度しきい値オフセットパラメータを前記ネットワークから受信することをさらに含み、前記ＨＳＭパイロット強度しきい値オフセットパラメータの値が前記ＵＥの速さに関連して異なる、請求項２３に記載の方法。
【発明の詳細な説明】
【技術分野】
【０００１】
関連出願の相互参照
本非仮特許出願は、引用されたすべての参考文献を含めその全体が参照により本明細書に組み込まれる、２０１３年６月３日に出願された米国仮特許出願第６１／８３０，２５１号の優先権利益を主張する。
【０００２】
本開示は、一般に階層化無線アクセスネットワークおよびユーザ機器（ＵＥ）に関する。より具体的には、本開示は、階層化無線アクセスネットワーク内でＵＥがハンドオーバまたは再選択動作をどのように実行するかを管理する、ハンドオーバ制御方法およびシステムに関するが、それらに限定されない。
【背景技術】
【０００３】
ネットワークトラフィックを改善するために、階層化無線アクセスネットワークはしばしば、マクロセルと、マクロセルの一部にサービス提供を行うスモールセルの両方を備えている。スモールセルは階層化無線アクセスネットワークのリーチ範囲を拡大することができる。スモールセルは、マクロセルの信号強度が低いエリアまたはデータトラフィック需要が高いエリアに配置されることが多い。スモールセルは、マクロセルに比べ品質の高い無線ネットワークアクセスをＵＥに提供することができる。
【０００４】
階層化無線アクセスネットワークは、限定された地理的地域にそれぞれサービス提供を行う多数のスモールセルを備えている場合がある。このようなスモールセルはマクロセルのカバレッジエリア内に配置される。ネットワーク事業者は、高いデータトラフィック能力を必要とする場所にスモールセルを柔軟に導入することができる。
【０００５】
ＵＥはスモールセルのカバレッジエリア内に入ると、マクロセル（または別のスモールセル）からのハンドオーバ動作を実行することで、マクロセルからスモールセルへ一部のトラフィックのオフロードを行う。このようにして、カバレッジ内でサポートされるアクティブなＵＥの数が増加し、エリア全体のデータトラフィック能力も向上する。
【０００６】
スモールセルに対して一部のトラフィックのオフロードを行うと事業者にはメリットがあるが、このようなプロセスには欠点がないわけではない。スモールセルには、通常、上述のように狭い地理的地域のみをカバレッジエリアとする小型のセルラ基地局が配備される。例えば、典型的なマクロセルの範囲（ブロードキャストエリア）が幅２、３キロメートル程度であるのに対し、典型的なスモールセルの範囲は幅２００メートル以下である。
【０００７】
また、スモールセルのカバレッジエリアがマクロセルのカバレッジエリアよりも狭く、その送信電力もマクロセルに比べて低いことを除けば、スモールセルはマクロセルと同じように動作する。スモールセルのカバレッジエリアに近接しているＵＥは、スモールセルのチャネル品質がマクロセルよりも良好であることを検知する場合がある。既存のハンドオーバメカニズムに従って、このＵＥがネットワークに信号強度測定レポートを報告すると、ネットワークは、マクロセルよりもスモールセルの方がこのＵＥに適しているか否かを判定する。スモールセルの方が適していると判定すると、ネットワークはスモールセルへのＵＥのハンドオーバを実行する。
【発明の概要】
【０００８】
ＵＥが高速で移動している場合、スモールセルをすぐに通過してしまうため、ハンドオーバを完了させるのが難しいか、不可能になるという問題が生じる。ＵＥが高速で移動中であるために、ＵＥおよび／またはネットワークは、ＵＥをマクロセルからスモールセルへ、またはあるスモールセルから近隣のスモールセルへ転送するハンドオーバ動作を正常に完了させることができない。このような未完了のハンドオーバプロセスはネットワークリソースを浪費する。例えば、ハンドオーバ要求が提出されたカバレッジエリアをＵＥが既に出てしまっているために、基地局は満たすことのできないハンドオーバ要求を処理するよう求められるといった事態が起きる。このような未完了のハンドオーバプロセスを減らすか、なくすことができれば、全体的なネットワークパフォーマンスが改善される。
【０００９】
いくつかの実施形態によれば、本開示は階層化無線アクセスネットワークにおけるハンドオーバ制御装置および方法を対象とする。ネットワークは、複数のスモールセルに重畳する複数のマクロセルを備える。ネットワーク内で動作しているユーザ機器（ＵＥ）はスモールセルまたは上位重畳マクロセルのいずれかに接続する。
【００１０】
一実施形態において、本開示は階層化無線アクセスネットワークにおけるハンドオーバ制御装置を対象とする。ネットワークは、複数のスモールセルに重畳する複数のマクロセルを備え、このネットワーク内で動作しているユーザ機器（ＵＥ）はスモールセルまたは上位重畳マクロセルのいずれかに接続する。装置は、無線アクセスネットワーク内で動作しているＵＥにメッセージを送信するように構成された送信器と、高速移動体（ＨＳＭ）関連パラメータを有するメッセージを設定するように構成されたプロセッサ制御メッセージ設定部とを備える。ＨＳＭ関連パラメータは、メッセージにＨＳＭ関連パラメータが含まれていることを示すＨＳＭインジケータパラメータと、ＵＥの速さがＵＥにＨＳＭモードで動作させるときに、上位重畳マクロセルからスモールセルへのＵＥのハンドオーバを制御するためのＨＳＭパイロット強度しきい値オフセットパラメータとを含む。ＨＳＭパイロット強度しきい値オフセットパラメータは、標準パイロット強度しきい値オフセットパラメータに加えて利用することで、ＵＥがＨＳＭモードで動作しているときにスモールセルへのＵＥのハンドオーバを制限する。
【００１１】
いくつかの実施形態において、標準パイロット強度しきい値オフセットパラメータはマクロセルの出口パラメータであり、マクロセルからのハンドオーバをトリガするための、より低いパイロット強度しきい値オフセットパラメータを提供するために、マクロセルの標準パイロット強度しきい値オフセットパラメータからＨＳＭパイロット強度しきい値オフセットパラメータを減じる。
【００１２】
他の実施形態において、標準パイロット強度しきい値オフセットパラメータはスモールセルの入口パラメータであり、スモールセルへのハンドオーバをトリガするための、より高いパイロット強度しきい値オフセットパラメータを提供するために、スモールセルの標準パイロット強度しきい値オフセットパラメータにＨＳＭパイロット強度しきい値オフセットパラメータを加える。ＨＳＭパイロット強度しきい値オフセットパラメータは、ネットワーク内のすべてのスモールセルに対して同じであっても、ネットワーク内の相異なるスモールセルによって異なってもよい。ＨＳＭパイロット強度しきい値オフセットパラメータはまた、ネットワーク内で動作しているすべてのＵＥに対して同じであっても、ネットワーク内で動作している相異なるＵＥによって異なってもよい。
【００１３】
いくつかの実施形態において、ＨＳＭパラメータは、ネットワーク内のどのセルがスモールセルであるかを識別する少なくとも１つのパラメータを含んでいる。
【００１４】
別の実施形態において、本開示は、プロセッサと、実行可能命令を保存するメモリとを備えるＵＥを対象とする。プロセッサは、ＵＥが標準モードで動作しているときに、第１のパイロット強度しきい値を使用して階層化無線アクセスネットワーク内のマクロセルからスモールセルへのハンドオーバを開始する命令を実行するように構成される。ＵＥがＨＳＭモードで動作しているときに、ＵＥは第２のパイロット強度しきい値を使用してマクロセルからスモールセルへのハンドオーバを開始する。第２のパイロット強度しきい値は、マクロセルからスモールセルへのＵＥのハンドオーバを制限するＨＳＭパイロット強度しきい値オフセットパラメータによって修正された、第１のパイロット強度しきい値に等しい。
【００１５】
別の実施形態において、本開示はＵＥ内で実行される方法を対象とする。本方法は、ＵＥが標準モードで動作しているときに、第１のパイロット強度しきい値を使用して階層化無線アクセスネットワーク内のマクロセルからスモールセルへのハンドオーバを開始することと、ＵＥがＨＳＭモードで動作しているときに、第２のパイロット強度しきい値を使用してマクロセルからスモールセルへのハンドオーバを開始することとを含む。第２のパイロット強度しきい値は、ＵＥがＨＳＭモードで動作しているときにマクロセルからスモールセルへのＵＥのハンドオーバを制限するＨＳＭパイロット強度しきい値オフセットパラメータによって修正された、第１のパイロット強度しきい値に等しい。
【００１６】
以下の添付図面により、本開示の特定の実施形態を示す。
【図面の簡単な説明】
【００１７】
【図１Ａ】開示された解決策を実施するのに適した階層化無線アクセスネットワークの概略図である。
【図１Ｂ】図１Ａの階層化無線アクセスネットワークのハンドオーバ制御装置を示す概略図である。
【図２Ａ】ＵＥによって実行される、本技術の方法の第１の例示的実施形態を示すフローチャート図である。
【図２Ｂ】ＵＥによって実行される、本技術の方法の第２の例示的実施形態を示すフローチャート図である。
【図３】ＵＥが高速移動体（ＨＳＭ）装置であるか否か、およびＵＥがＨＳＭモードに移行すべきか否かをＵＥが判定できるようにするための種々の方法を示すフローチャート図である。
【図４】ＵＥの速度の決定を可能にする位置サンプルを使用することにより、ＵＥがＨＳＭモードで動作すべきか否かを判定する、ＵＥによって実行される方法を示すフローチャート図である。
【図５】ＵＥの速度の決定を可能にするハンドオーバまたはセル再選択を使用することにより、ＵＥがＨＳＭモードで動作すべきか否かを判定する、ＵＥによって実行される方法を示すフローチャート図である。
【図６】開示された解決策による実施形態を実施するために用いられるコンピューティングシステムの概略図である。
【発明を実施するための形態】
【００１８】
本開示は多くの異なる形態による実施が可能であるが、本開示は、本技術の原理の例示とみなされるべきであり、例示した実施形態に本技術を限定することを意図していないという理解のもとに、いくつかの特定の実施形態について図面に示すとともに本明細書で詳述する。
【００１９】
ここで図１を参照すると、提示する解決策は、マクロセルおよび下位重畳スモールセルを含む階層化無線アクセスネットワークを実現する無線アクセス技術（ＲＡＴ：Ｒａｄｉｏ  Ａｃｃｅｓｓ  Ｔｅｃｈｎｏｌｏｇｙ）に関連している。ヘテロジニアスネットワーク（ＨｅｔＮｅｔ）配置を利用する実施態様において、スモールセルはマクロセルとは異なるアクセス技術を利用することができる。ＲＡＴタイプとしては、３ＧＰＰロングタームエボリューション（ＬＴＥ：Ｌｏｎｇ  Ｔｅｒｍ  Ｅｖｏｌｕｔｉｏｎ）、エボルブドユニバーサル移動体通信システム（ＵＭＴＳ）地上無線アクセスネットワーク（Ｅ−ＵＴＲＡＮ）、符号分割多重アクセス（ＣＤＭＡ）、広帯域符号分割多重アクセス（ＷＣＤＭＡ）、または本開示により当業者に知られることになる他のＲＡＴタイプがある。階層化ネットワーク１００は、マクロセル１０５と、スモールセル１１０Ａおよび１１０Ｂなどの複数の下位重畳スモールセルとを備えることができる。階層化ネットワーク１００は、図１Ｂを参照しながら以下に詳述する、ハンドオーバ制御装置１３０もまた備えている。
【００２０】
概して、マクロセル１０５は、スモールセル１１０Ａおよび１１０Ｂに重なるカバレッジエリア１０５Ａに対してサービス提供を行い、スモールセル１１０Ａおよび１１０Ｂは限定された地理的地域にサービス提供を行う。例えば、スモールセル１１０Ａはエリア１２０にサービス提供を行い、スモールセル１１０Ｂはエリア１２５にサービス提供を行う。階層化ネットワーク１００は任意の数のスモールセルを備えることができる。スモールセルの非限定的な例としては、マイクロセル、ピコセル、フェムトセルなどが挙げられる。
【００２１】
階層化ネットワーク１００はＵＥ１１５などの複数のユーザ機器（ＵＥ）にサービス提供を行う。ＵＥ１１５は、携帯電話または、無線アクセスネットワークを使用するように構成された、例えばマシンツーマシン（Ｍ２Ｍ）デバイスに組み込まれている無線通信モジュールなど、いかなるデバイスであってもよい。例えば、無線通信モジュールは車両または航空機に組み込まれていてもよい。ＵＥ１１５は、本開示により当業者に知られることになる他のいかなる無線通信装置であってもよい。
【００２２】
ＵＥ１１５は、自身が高速移動体（ＨＳＭ）モードと標準モードのどちらで動作すべきかを判定することができる専用または特定用途コンピューティングデバイスとして機能する命令でプログラムされるが、図６のコンピューティングシステム１などのコンピューティングシステムとして概ね説明することができる。ＵＥ１１５のＨＳＭモードまたは標準モードで動作する能力に関するさらなる詳細については、以下に詳述する。
【００２３】
ＵＥ１１５がスモールセル１１０Ａおよび１１０Ｂの限定された１つまたは複数の地理的地域を通過してカバレッジエリア１０５Ａを横断するとき、ＵＥ１１５は、マクロセル１０５と、ＵＥ１１５が在圏している１つまたは複数のスモールセル１１０Ａおよび１１０Ｂとの間でハンドオーバを行うことができる。具体的に説明すると、ＵＥ１１５は、隣接するネットワークセルがマクロセルであるかスモールセルであるかにかかわらず、そのネットワークセルの信号強度を継続的または定期的にサンプリングする。典型的には、ＵＥ１１５は、ＵＥのサービングセルが送信するパイロット信号の信号強度と、ＵＥ１１５の近傍にある隣接セルまたは近隣セルごとに基地局が送信するパイロット信号の信号強度とを測定する。ＵＥのサービングセルの信号強度が標準パイロット強度しきい値オフセットのレベルを下回ると、ＵＥ１１５は信号強度が最も高い隣接セルを選択することになる。この標準パイロット強度しきい値オフセットパラメータ（本明細書では第１のパイロット強度オフセットとも呼ぶ）は、ＵＥ１１５がネットワークから受信するオーバーヘッドメッセージ内に符号化されている。
【００２４】
本技術の方法および装置は、ＨＳＭパイロット強度しきい値オフセットパラメータと称する新しいパラメータを導入することにより、この典型的なＵＥハンドオーバ挙動を調整する。このＨＳＭパイロット強度しきい値オフセットパラメータは、標準パイロット強度しきい値オフセットパラメータを修正して第２のパイロット強度しきい値を生成する。標準パイロット強度しきい値パラメータは、マクロセルのパイロット信号強度またはスモールセルのパイロット信号強度に関連している。標準パイロット強度しきい値パラメータがマクロセルのパイロット信号強度に関連している場合、このパラメータは、ＵＥがマクロセル（１０５）からのハンドオーバをトリガするレベルを定義する。この場合、ＵＥは、マクロセルからのハンドオーバをトリガするための標準パイロット強度しきい値よりも低い、第２のパイロット強度しきい値を得るために、標準パイロット強度しきい値からＨＳＭパイロット強度しきい値オフセットパラメータを減じるように構成される。標準パイロット強度しきい値パラメータがスモールセルのパイロット信号強度に関連している場合、このパラメータは、ＵＥがスモールセル（１１０Ａまたは１１０Ｂ）へのハンドオーバをトリガするレベルを定義する。この場合、ＵＥは、スモールセルへのハンドオーバをトリガするための標準パイロット強度しきい値よりも高い、第２のパイロット強度しきい値を得るために、標準パイロット強度しきい値にＨＳＭパイロット強度しきい値オフセットパラメータを加えるように構成される。
【００２５】
このように、いずれの場合も、ＵＥ１１５は、ＵＥ１１５がＨＳＭモードにあって第２のパイロット強度しきい値を使用しているとき、マクロセル１０５への接続を維持しやすくなる。
【００２６】
本技術によれば、ＵＥ１１５のハンドオーバ挙動は、ＵＥ１１５がＨＳＭモードと標準モードのどちらで動作しているかに支配される。ＨＳＭモードは、特にＵＥが高速で移動しているか、または高いハンドオーバ率を経験しているときのＵＥの動作挙動として定義される。標準動作モードは、低速で移動しているＵＥによって定義される。具体的に説明すると、この速度は、ハンドオーバを困難にするか、あるいは不可能にするようにＵＥがスモールセルを横断する尤度に関連する。例えば、ＵＥ１１５がスモールセル１１０Ａおよびスモールセル１１０Ｂを高速で通過しているとする。ＵＥ１１５の移動が高速であるために、ＵＥ１１５は、ＵＥ１１５をマクロセル１０５からスモールセルへ、またはあるスモールセルから近隣のスモールセルへ転送するハンドオーバ動作を正常に完了することができない。したがって、速度はスモールセルのサイズに少なくとも部分的には関連している。
【００２７】
また、未完了のハンドオーバプロセスはネットワークリソースを浪費する。例えば、ハンドオーバ要求が提出されたカバレッジエリアをＵＥが既に出てしまっているために、基地局は満たすことのできないハンドオーバ要求を処理するよう求められるといった事態が起きる。このような未完了のハンドオーバプロセスを減らすか、なくすことができれば、全体的なネットワークパフォーマンスが改善される。
【００２８】
本開示によれば、ＵＥ１１５に対して、ＨＳＭ動作の静的プロビジョニングまたは動的プロビジョニングを行うことができる。一例では、ＵＥ１１５は、ＵＥ１１５のＨＳＭモードを切り替えるユーザ入力コマンドを受信するように構成されるため、静的プロビジョニングが可能である。例えば、ＵＥ１１５は、ＵＥ１１５をＨＳＭモードから標準モードへ、またはその逆へ切り替えるコマンドをユーザが入力できるようにする、ユーザインターフェースを備えていてもよい。またＵＥ１１５に対する第２のパイロット強度しきい値のプロビジョニングによっても、ＵＥ１１５に対する静的プロビジョニングが可能である。例えば、ＵＥ１１５が車両または航空機などの移動手段に組み込まれる場合、ＵＥ１１５の製造者がＵＥ１１５に対して第２のパイロット強度しきい値の事前プロビジョニングを行うことができる。車両に組み込まれたＵＥに対してＨＳＭモードの事前プロビジョニングが行われていれば、ＵＥは自動的にこのモードで機能するので、ネットワークがＵＥにＨＳＭ関連パラメータを送信する必要はなくなる。ネットワークがＨＳＭ関連パラメータをネットワーク内で動作しているすべてのＵＥにブロードキャストする場合、第２のパイロット強度しきい値の事前プロビジョニングが行われたＵＥは、ブロードキャストされたパラメータを無視することができる。あるいは、ネットワークによるＨＳＭ関連パラメータのブロードキャストまたはユニキャスト送信により、事前プロビジョニングが行われたＵＥ内のＨＳＭ関連パラメータを上書きしてもよい。
【００２９】
別の例では、アプリケーションサーバ（図１Ｂのハンドオーバ制御装置１３０など）またはリモートセンサが、例えば短距離ＲＦデバイス（Ｂｌｕｅｔｏｏｔｈなど）または別の無線経由（ＯＴＡ）方法を使用して、必要に応じてＵＥ１１５にＨＳＭモードに切り替えさせることも可能である。例えば、ＵＥ１１５のユーザが電車に搭乗するとき、駅のプラットフォームに備え付けの短距離無線送信器がＵＥ１１５にＨＳＭモード情報（ＳＩ）を提供して、ＵＥ１１５にＨＳＭモードに内部的に設定させてもよい。
【００３０】
同様に、ＵＥ１１５がプラットフォームの出口を通過するとき、ＵＥ１１５は出口で別の短距離無線信号を検出することにより、ＨＳＭモードを終了する。
【００３１】
本開示によれば、ＵＥ１１５は、ＵＥ１１５がＨＳＭモードと標準モードのどちらで動作すべきかを判定するための１つまたは複数の方法を実行することができる。ＵＥ１１５がＨＳＭモードで動作すべきであると判定した場合、ＵＥ１１５はＨＳＭモードにあることを示すフラグを設定するように構成される。例えば、ＵＥ１１５は、ＵＥ１１５がＨＳＭモードにあることを示す内部パラメータまたはインジケータを生成してもよい。ＵＥ１１５は、階層化ネットワーク１００から受信した１つまたは複数のシステム情報（ＳＩ）パラメータを使用して、スモールセルへのハンドオーバ動作を実行しないように自ら制限することができる。ＳＩパラメータについては、図１Ｂのハンドオーバ制御装置１３０の動作を参照しながら、以下に詳述する。
【００３２】
いくつかの実施形態において、ＵＥ１１５は標準モードおよびＨＳＭモードの両方で動作するように構成される。このような場合、ＵＥ１１５は、ＵＥ１１５が必要に応じて選択的にＨＳＭモードに移行する動的プロビジョニングを適用することができる。ＵＥ１１５は、典型的には、高速で移動しているときにＨＳＭモードに移行する。ＵＥ１１５は、ＵＥ１１５の速度を決定し、標準モードとＨＳＭモードのどちらに移行すべきかを最終的に判定する、動的プロビジョニングの２つの方法またはプロセスを利用することができる。
【００３３】
次に図１Ａおよび図４を併せて参照すると、動的プロビジョニングの第１の方法において、本方法は、最初に、ＵＥ１１５がハンドオーバまたはセル再選択の履歴情報を保存すること６０５を含む。本方法は、ＵＥ１１５が一定期間にわたり幾つかの位置サンプルを取得すること４０５を含み、各位置サンプルはＵＥ１１５の位置決定情報を含んでいる。また本方法は、ＵＥ１１５が幾つかの位置サンプルの中で少なくとも２つの位置サンプルの位置決定情報を使用して、ＵＥ１１５の速度を算出すること４１０を含む。例えば、ＵＥ１１５は、第１の位置および第２の位置を使用して、第１の位置と第２の位置との間の距離を決定することにより、速度（ｖｅｌｏｃｉｔｙ）（例えば速度（ｒａｔｅ  ｏｆ  ｓｐｅｅｄ））を算出することができる。またＵＥ１１５は、ＵＥ１１５が算出された距離を移動するのに要した時間デルタを算出する。ＵＥ１１５はこの速度（ｖｅｌｏｃｉｔｙ）値をしきい値と比較して、ＵＥ１１５がＨＳＭモードと標準モードのどちらで動作すべきかを判定することができる。
【００３４】
一実施形態において、本方法は、速度がしきい速度未満である場合、ＵＥ１１５が標準モードで動作し４１５、第１のパイロット強度しきい値を使用することを含む。あるいは、本方法は、速度がしきい速度以上である場合、ＵＥ１１５がＨＳＭモードで動作し４２０、第２のパイロット強度しきい値を使用することを含む。
【００３５】
次に図１Ａおよび図５を併せて参照すると、動的プロビジョニングの第２の方法において、本方法は、最初に、ＵＥ１１５がハンドオーバまたはセル再選択の履歴情報を保存すること５０５を含む。この履歴情報は、ハンドオーバまたはセル再選択の各々と関連付けられたタイムスタンプを含んでいる。これらのハンドオーバまたはセル再選択は直近のハンドオーバまたはセル再選択であることが望ましい。ＵＥ１１５は、このタイムスタンプを使用して、２回以上のハンドオーバまたはセル再選択からハンドオーバ率を決定する５１０。例えば、ＵＥ１１５で、直近の１分以内に２回のハンドオーバ要求が発生したとする。これはＵＥ１１５が高速で移動中であることを示している。特に、直近のこれら２回のハンドオーバ要求間におけるタイムスタンプの時間デルタが、過去における他のハンドオーバまたはセル再選択イベント間の時間デルタと比べて小さい場合は、その可能性が高い。
【００３６】
例えば、過去１時間以内に発生したＵＥ１１５のハンドオーバまたはセル再選択イベントで、ＵＥ１１５が４〜５分間の時間デルタを経験したことが示されている場合である。
【００３７】
一実施形態において、本方法は、ＵＥ１１５がハンドオーバ率をしきい率と比較すること５１５を含む。本方法は、ハンドオーバ率がしきい率未満である場合、ＵＥ１１５が標準モードで動作し５２０、第１のパイロット強度オフセット値を使用することをさらに含む。あるいは、本方法は、ハンドオーバ率がしきい率以上である場合、ＵＥ１１５がＨＳＭモードで動作し５２５、第２のパイロット強度オフセット値を使用することを含む。
【００３８】
一例では、ＵＥ１１５は、高速で移動している車両の内部に位置する携帯電話である。ＵＥ１１５は、高速で移動中であるため、ＵＥ１１５がＨＳＭパイロット強度しきい値オフセットパラメータを用いてハンドオーバの決定を行えるようにする、ＨＳＭモードに移行する。
【００３９】
ＵＥのモード判定に加えて、本技術は、ＵＥ１１５にシステム情報（ＳＩ）パラメータを提供するように構成されたネットワークコンポーネントもまた提供する。例えば、図１Ａおよび図１Ｂは、ＵＥ１１５にＳＩパラメータを送信するハンドオーバ制御装置１３０の利用をそれぞれ示している。図１Ｂは、少なくとも送信器１３５とプロセッサ制御メッセージ設定部１４０とを備える装置１３０を示す。装置１３０は、当業者には知られることになる他のコンピューティングコンポーネントまたはネットワークコンポーネントを備えることができる。例えば、装置１３０は、プロセッサおよびメモリなど、図６に示す１つまたは複数の任意のコンポーネントを備えることができる。
【００４０】
いくつかの実施形態において、送信器１３５は、無線アクセスネットワーク内で動作しているＵＥに対し、ＳＩパラメータを含むオーバーヘッドメッセージをブロードキャストするように構成される。メッセージ設定部１４０は、ＳＩパラメータを有するオーバーヘッドメッセージを設定するように構成される。ＳＩパラメータの例としては、オーバーヘッドメッセージにＨＳＭ関連パラメータが含まれていることを示す高速移動体（ＨＳＭ）インジケータパラメータが挙げられる。ＨＳＭ関連パラメータはＨＳＭパイロット強度しきい値オフセットパラメータを含んでいる。ＨＳＭパイロット強度しきい値オフセットパラメータは、ＵＥ１１５の速さがＵＥ１１５にＨＳＭモードで動作させるときに、ＵＥ１１５が上位重畳マクロセル１０５からスモールセルへのＵＥ１１５のハンドオーバを制御するために使用する。
【００４１】
ＨＳＭ関連パラメータ（ＨＳＭモード、近隣のスモールセルのための特別なオフセット値など）をＵＥにブロードキャストする代わりに、ユニキャストシグナリングメッセージまたは他の無線経由プロビジョニング方法など他の手段を通じて、この情報を個々のＵＥにユニキャスト送信してもよい。
【００４２】
いくつかの実施形態によれば、相異なるスモールセルおよび／または相異なるＵＥによって異なるＨＳＭパイロット強度しきい値オフセットパラメータを使用することができる。例えば、階層化ネットワーク内のスモールセルがそれぞれ一意のＨＳＭ関連パラメータ、具体的にはスモールセルごとに一意のＨＳＭパイロット強度しきい値オフセットパラメータを必要とする場合がある。例えば、比較的広い、限定されたカバレッジエリアを持つスモールセル（マイクロセルまたはピコセルなど）は、比較的狭い、さらに限定されたカバレッジエリアを持つスモールセル（フェムトセルなど）の値よりも低い、一意のＨＳＭパイロット強度しきい値オフセットパラメータと関連付けてもよい。比較的広いカバレッジエリアを持つスモールセルでは、ＵＥがカバレッジエリアを出る前にハンドオーバ動作を正常に完了できる可能性が高いことから、このようにすれば、比較的広いスモールセルへのＵＥのハンドオーバが容易になる。他の実施形態において、すべてのスモールセルに対して同じＨＳＭパイロット強度しきい値オフセットパラメータを使用してもよい。同様に、ＵＥの速さは大きく変動する可能性があるため、相異なる速さで移動しているＵＥに対して一意のＨＳＭ関連パラメータが必要になる。
【００４３】
プロセッサ制御メッセージ設定部１４０は、ネットワーク内のどのセルがスモールセルであるかを識別する少なくとも１つのＨＳＭパラメータを有するオーバーヘッドメッセージを設定するように構成することもできる。例えば、メッセージ設定部１４０は、当該ネットワークがＬＴＥネットワークである場合、送信器１３５に、ＳＩＢ４／ＳＩＢ５メッセージなどのセル再選択パラメータメッセージ内のネイバーセルリストをブロードキャストさせてもよい。当該ネットワークがＨｉｇｈ  Ｒａｔｅ  Ｐａｃｋｅｔ  Ｄａｔａ（ＨＲＰＤ）ネットワークである場合、メッセージ設定部１４０はＳｅｃｔｏｒＰａｒａｍｅｔｅｒｓ／ＮｅｉｇｈｂｏｒＬｉｓｔオーバーヘッドメッセージを使用してもよい。これらのセル識別方法は、ネットワークがネットワーク内のマクロセルとスモールセルとを区別する手段を持たない実施形態において重要である。したがって、このような情報をＵＥ１１５に提供して、ＵＥ１１５がスモールセルへのハンドオーバを実行すべきか、それともマクロセル１０５との関連を維持すべきかをＵＥ１１５自身が決定できるようにする必要がある。
【００４４】
別の例では、３ＧＰＰネットワークのＡｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ（ＡＮＤＳＦ）を使用して、ＵＥ１１５に対しどの近隣セルがスモールセルなのかを通知することができる。
【００４５】
図２Ａは本技術の方法の第１の例示的実施形態を示すフローチャートである。すなわち、ＵＥ１１５がマクロセルからスモールセルへハンドオーバすべきか否か、あるいはスモールセルを再選択すべきか否かを判定する、ＵＥ１１５によって実行される方法を示している。図２Ａの実施形態において、ＨＳＭパイロット強度しきい値オフセットパラメータは、サービングマクロセルの標準パイロット強度しきい値オフセットパラメータを修正しており、したがって、このマクロセルの出口パラメータになっていると理解すべきである。
【００４６】
本方法は、ＵＥ１１５により、ＵＥ１１５がＨＳＭモードであるか否かを判定する最初のステップ２０５を含む。典型的にはＵＥがＨＳＭモード動作を要するような高速で移動していないがために、ＵＥがＨＳＭモードではない場合、ＵＥはステップ２３５へ進み、「標準」ハンドオーバまたは再選択手順を適用する。ＵＥがＨＳＭモードで動作している場合、ＵＥはステップ２１０へ進み、マクロセルの信号強度を標準パイロット強度しきい値オフセットパラメータと比較する。マクロセル信号強度が標準パイロット強度しきい値オフセットパラメータを超える場合、ＵＥはステップ２０５へ戻り、自身がＨＳＭモードであるか否かを監視し続ける。マクロセル信号強度が標準パイロット強度しきい値オフセットパラメータ以下である場合、ＵＥはステップ２１５へ進み、確認されたターゲットセルがスモールセルであるか否かを判定する。判定結果が否である場合、ＵＥはステップ２３５へ進み、標準ハンドオーバまたは再選択手順を適用する。逆にターゲットセルがスモールセルである場合、ＵＥはステップ２２０へ進み、ＵＥ１１５は、基地局（例えば、図１Ｂのハンドオーバ制御装置１３０）がＨＳＭ指示と、ＨＳＭパイロット強度しきい値オフセットパラメータを含むＨＳＭパラメータとが設定されたオーバーヘッドメッセージをブロードキャストしているか否かを判定する。判定結果が否である場合、ＵＥはステップ２３０へ進んでもよい。このステップでは、任意選択で、ＵＥがマクロセルへの接続維持またはキャンプオンが可能である場合に、ＵＥがマクロセルからスモールセルへのハンドオーバの実行を延期できるようにする。
【００４７】
基地局がＨＳＭパラメータを含むオーバーヘッドメッセージをブロードキャストしている場合、ＨＳＭモードで動作しているＵＥはステップ２２５へ進んでもよい。このステップで、ＵＥは、マクロセルの信号強度が、標準パイロット強度しきい値オフセットパラメータからＨＳＭパイロット強度しきい値オフセットパラメータを減じた値以下であるか否かを判定する。判定結果が否である場合、ＵＥはステップ２３０へ進み、マクロセルへの接続を維持する。しかし、マクロセルの信号強度が、標準パイロット強度しきい値オフセットパラメータからＨＳＭパイロット強度しきい値オフセットパラメータを減じた値以下である場合、ＵＥはステップ２４０へ進み、ＵＥはスモールセルに対するハンドオーバまたは再選択を実行する。
【００４８】
図２Ｂは本技術の方法の第２の例示的実施形態を示すフローチャートである。すなわち、ＵＥ１１５がマクロセルからスモールセルへハンドオーバすべきか否か、あるいはスモールセルを再選択すべきか否かを判定する、ＵＥによって実行される方法を示している。図２Ｂの実施形態において、ＨＳＭパイロット強度しきい値オフセットパラメータは、ターゲットスモールセルの標準パイロット強度しきい値オフセットパラメータを修正しており、したがって、このスモールセルの入口パラメータになっていると理解すべきである。
【００４９】
本方法は、ＵＥ１１５により、ＵＥ１１５がＨＳＭモードであるか否かを判定する最初のステップ２５０を含む。典型的にはＵＥがＨＳＭモード動作を要するような高速で移動していないがために、ＵＥがＨＳＭモードではない場合、ＵＥはステップ２５５へ進み、「標準」ハンドオーバまたは再選択手順を適用する。ＵＥがＨＳＭモードで動作している場合、ＵＥはステップ２６０へ進み、ターゲットセルの信号強度をターゲットセルの標準パイロット強度しきい値オフセットパラメータと比較する。ターゲットセル信号強度が、標準パイロット強度しきい値オフセットパラメータ未満である場合、ＵＥはステップ２５０へ戻り、自身がＨＳＭモードであるか否かを監視し続ける。ターゲットセル信号強度が標準パイロット強度しきい値オフセットパラメータ以上である場合、ＵＥはステップ２６５へ進み、ターゲットセルがスモールセル／ピコセル（Ｐｃｅｌｌ）であるか否かを判定する。判定結果が否である場合、ＵＥはステップ２５５へ進み、標準ハンドオーバまたは再選択手順を適用する。逆にターゲットセルがスモールセルである場合、ＵＥはステップ２７０へ進み、ＵＥ１１５は、基地局（例えば、図１Ｂのハンドオーバ制御装置１３０）がＨＳＭ指示と、ＨＳＭパイロット強度しきい値オフセットパラメータを含むＨＳＭパラメータとが設定されたオーバーヘッドメッセージをブロードキャストしているか否かを判定する。判定結果が否である場合、ＵＥはステップ２７５へ進んでもよい。このステップでは、任意選択で、ＵＥがマクロセルへの接続維持またはキャンプオンが可能である場合に、ＵＥがマクロセルからスモールセルへのハンドオーバの実行を延期できるようにする。
【００５０】
基地局がＨＳＭパラメータを含むオーバーヘッドメッセージをブロードキャストしている場合、ＨＳＭモードで動作しているＵＥはステップ２８０へ進んでもよい。このステップで、ＵＥは、スモールセルの信号強度が、標準パイロット強度しきい値オフセットパラメータにＨＳＭパイロット強度しきい値オフセットパラメータを加えた値以上であるか否かを判定する。判定結果が否である場合、ＵＥはステップ２８５へ進み、マクロセルへの接続を維持する。しかし、スモールセルの信号強度が、標準パイロット強度しきい値オフセットパラメータにＨＳＭパイロット強度しきい値オフセットパラメータを加えた値以上である場合、ＵＥはステップ２９０へ進み、ＵＥはスモールセルに対するハンドオーバまたは再選択を実行する。
【００５１】
ＵＥのスモールセルへのハンドオーバが可能であると判定されたとしても、ハンドオーバを実行する手順は、依拠している無線技術に依存するということを理解すべきである。例えば、ＬＴＥにおいて、ＵＥはアイドルモードである場合、単独でセル再選択手順を実行する。しかし、ＵＥがアクティブモードである場合は、ＵＥが測定したネイバーパイロット強度情報をネットワークへ報告し、ネットワークがハンドオーバの判定を行う。
【００５２】
図３は、ＵＥが標準モードとＨＳＭモードのどちらで動作すべきかをＵＥ自身が決定できるようにするための種々の手順を示すフローチャートである。例えば、ステップ３１０でＵＥに対して静的プロビジョニングを行う場合、ステップ３０５で、ＵＥは必ずＨＳＭデバイスとしてのフラグを設定し、しかるべく動作する。ＵＥに対して静的プロビジョニングを行わない場合、ステップ３１５で、手作業によるプロビジョニングが可能であるか否かが判定される。この場合もまた、上述のように、ユーザ入力またはネットワーク要求によってＵＥのＨＳＭ動作がトリガされる。
【００５３】
ＵＥに対してＨＳＭモードで動作させるプロビジョニングが行われ、ネットワークがＵＥにＨＳＭパイロット強度しきい値オフセットパラメータを含むＳＩパラメータ提供している場合、ステップ３３５で、ＵＥは自身をＨＳＭモードに設定することができる。ＵＥに対して手作業によるプロビジョニングが行われない場合、ステップ３２５へ進むことによって、動的プロビジョニングが可能になる。このステップでは、ＵＥがタイムスタンプ付きのハンドオーバまたは再選択イベントを保存する。上述のように、他の例において、ＵＥは、ハンドオーバまたは再選択イベントデータではなく、位置および時間情報を使用する。
【００５４】
ＵＥは、ＨＳＭモード判定手順３３０を定期的にトリガするように構成される。次のステップ３４０で、ＵＥはＨＳＭモードに移行すべきか否かを判定することができる。ＵＥがＨＳＭモードに移行すべきである場合、本方法は、ステップ３３５で、ＵＥが自身をＨＳＭモードに設定することを含む。ＵＥがＨＳＭモードに移行されない場合、ステップ３４５で、ＵＥは、タイムスタンプ付きのハンドオーバまたは再選択イベントなど、自身が保存したイベントをリセットすることができる。ＵＥは、ＵＥがＨＳＭモードに設定された後に、タイムスタンプ付きのハンドオーバまたは再選択イベントを削除することもできる。ＵＥはステップ３２５に戻り、タイムスタンプ付きのハンドオーバまたは再選択イベントを保存するプロセスを再開する。
【００５５】
図６は、コンピュータシステム１の形態による例示的マシンを示す図である。このマシンの内部では、本明細書で検討したいずれか１つまたは複数の手法をマシンに遂行させるための命令のセットを実行することができる。種々の例示的実施形態において、このマシンはスタンドアロン装置として動作しても、あるいは他のマシンに接続（ネットワーク接続など）されてもよい。ネットワーク接続配置において、このマシンは、サーバ／クライアントネットワーク環境におけるサーバもしくはクライアントマシン、またはピアツーピア（もしくは分散）ネットワーク環境におけるピアマシンとして動作することができる。このマシンは、例えば、このマシンのとるべき動作を指定する命令（順次またはそれ以外）のセットを実行することができる、ＵＥまたは基地局、ＮｏｄｅＢ、もしくはｅＮｏｄｅＢであってよい。
【００５６】
例示的コンピュータシステム１は、単一プロセッサまたはマルチプロセッサ５（例えば、中央処理装置（ＣＰＵ）、グラフィック処理装置（ＧＰＵ）、またはその両方）、ならびにバス２０を介して相互に通信を行うメインメモリ１０およびスタティックメモリ１５を備えている。コンピュータシステム１は、ビデオディスプレイ２５（液晶ディスプレイ（ＬＣＤ）など）をさらに備えていてもよい。コンピュータシステム１は、英数字入力装置３０（キーボードなど）、カーソル制御装置（マウスなど）、音声認識または生体認証装置（図示せず）、ドライブユニット３５（ディスクドライブユニットとも言う）、信号生成装置４０（スピーカなど）、およびネットワークインターフェース装置４５もまた備えていてもよい。コンピュータシステム１は、データを暗号化するためのデータ暗号化モジュール（図示せず）をさらに備えていてもよい。
【００５７】
ディスクドライブユニット３５は、本明細書で説明するいずれか１つまたは複数の手法または機能を具現化または利用する１つまたは複数の命令セットおよびデータ構造（命令５５など）が保存されている、コンピュータまたはマシン可読媒体５０を備えている。命令５５の全部または少なくとも一部は、コンピュータシステム１による実行中に、メインメモリ１０の内部および／またはプロセッサ５の内部に常駐していてもよい。メインメモリ１０とプロセッサ５とがマシン可読媒体を構成してもよい。
【００５８】
さらに命令５５は、よく知られた幾つかの伝送プロトコル（ハイパーテキスト転送プロトコル（ＨＴＴＰ）など）のいずれかを利用するネットワークインターフェース装置４５を介してネットワーク１４０上を送受信されてもよい。例示的一実施形態においてマシン可読媒体５０を単一媒体として示したが、「コンピュータ可読媒体」という用語は、１つまたは複数の命令セットを保存する単一の媒体または複数の媒体（集中または分散データベースおよび／または関連するキャッシュおよびサーバ）を包含するものと理解すべきである。「コンピュータ可読媒体」という用語はまた、マシンによって実行され、マシンに本出願のいずれか１つまたは複数の手法を遂行させる命令セットを保存、符号化、または搬送することができるか、あるいは、このような命令セットによって利用されるデータ構造またはこのような命令セットと関連付けられるデータ構造を保存、符号化、または搬送することができるいかなる媒体をも包含すると解釈されるものとする。したがって「コンピュータ可読媒体」という用語は、ソリッドステートメモリ、光学式および磁気媒体、ならびに搬送波信号を包含するがこれらに限定されないと解釈されるものとする。このような媒体にはまた、ハードディスク、フロッピーディスク、フラッシュメモリカード、デジタルビデオディスク、ランダムアクセスメモリ（ＲＡＭ）、読み出し専用メモリ（ＲＯＭ）などが含まれるが、これらに限定されない。本明細書で説明した例示的実施形態は、コンピュータ上にインストールされたソフトウェアを含む動作環境において、ハードウェアにおいて、またはソフトウェアとハードウェアとの組合せにおいて実施することができる。
【００５９】
種々の実施形態について説明したが、これらの実施形態は、限定ではなく例示のみのために提示されたということを理解すべきである。上述の説明は、本発明の範囲を本明細書に記載した特定の形態に限定することを意図したものではない。反対に、本明細書の説明は、添付の特許請求の範囲によって定義される本発明の範囲内に含まれるような代替例、変形例、および同等例、ならびに当業者に理解されるその他を包含することを意図したものである。したがって、発明を実施するための形態の範囲は上述の例示的実施形態のいずれによっても制限されるべきではない。
【図１Ａ】
2016525817.tif 000003
【図１Ｂ】
2016525817.tif 000004
【図２Ａ】
2016525817.tif 000005
【図２Ｂ】
2016525817.tif 000006
【図３】
2016525817.tif 000007
【図４】
2016525817.tif 000008
【図５】
2016525817.tif 000009
【図６】
2016525817.tif 000010
【国際調査報告】
2016525817.tif 000011
2016525817.tif 000012
2016525817.tif 000013